(57)【特許請求の範囲】
【請求項１】
浴槽内の湯を汲み上げて濾過装置で汚れを濾過し、殺菌装置で殺菌し、ヒータで適温に加熱した後再び浴槽に噴出させる浴槽湯の清浄化装置において、一端が浴槽内に位置する吸湯管、濾過タンク、ヒータ、循環ポンプ、及び一端が浴槽内に位置する噴湯管が直列に接続した主清浄化管路と、一端が浴槽内に位置する殺菌吸湯管、オゾナイザが接続するオゾン殺菌タンク、循環ポンプ、及び一端が浴槽内に位置する殺菌噴湯管が直列に接続した殺菌管路とが配備され、主清浄化管路において、主清浄化管路用の循環ポンプの作動により浴槽内の湯を吸湯管から汲み上げて濾過タンクで汚れを濾過し、ヒータで適温に加熱した後噴湯管から浴槽内に噴出させる連続的な主清浄化処理が実施され、殺菌管路において、殺菌管路用の循環ポンプを作動して浴槽内の湯を吸湯管から汲み上げてオゾン殺菌タンクに貯えた後一端停止し、オゾン殺菌タンクにおいてオゾナイザーによってオゾン化した空気を貯えられた湯中に混入してオゾン殺菌し、オゾン殺菌終了後再び循環ポンプを作動、停止してオゾン殺菌タンク内の殺菌処理された湯を殺菌噴湯管から浴槽内に噴出させると同時に浴槽内の湯を殺菌吸湯管から再び汲み上げてオゾン殺菌タンクに貯えた後オゾン殺菌するオゾン殺菌処理が主清浄化処理とは別途に繰り返し実施されることを特徴とする浴槽湯の清浄化装置。
【請求項２】
浴槽内の湯を汲み上げて濾過装置で汚れを濾過し、殺菌装置で殺菌し、ヒータで適温に加熱した後再び浴槽に噴出させる浴槽湯の清浄化装置において、一端が浴槽内に位置する吸湯管、濾過タンク、ヒータ、循環ポンプ、及び一端が浴槽内に位置する噴湯管が直列に接続した主清浄化管路を備え、該主清浄化管路において、主清浄化管路用の循環ポンプの作動により浴槽内の湯を吸湯管から汲み上げて濾過タンクで汚れを濾過し、ヒータで適温に加熱した後噴湯管から浴槽内に噴出させる連続的な主清浄化処理が実施されると共に、一端が浴槽内に位置し、且つ電磁弁が配備された殺菌吸湯管、オゾナイザが接続するオゾン殺菌タンク、及び一端が主清浄化管路の噴湯管に配備したエジェクタ部に接続する殺菌噴湯管が直列に接続して形成された殺菌管路において、電磁弁を開いて浴槽内の湯を殺菌噴湯管の一端が接続するエジェクタ部の吸引力に基いて殺菌吸湯管から汲み上げてオゾン殺菌タンクに貯えた後一端閉じ、オゾン殺菌タンクにおいてオゾナイザーによってオゾン化した空気を貯えられた湯中に混入してオゾン殺菌し、オゾン殺菌終了後再び電磁弁を開閉してオゾン殺菌タンク内の殺菌処理された湯を殺菌噴湯管から主清浄化管路の噴湯管を経て浴槽内に噴出させて浴槽内の湯を殺菌吸湯管から再び汲み上げてオゾン殺菌タンクに貯えた後オゾン殺菌するオゾン殺菌処理が主清浄化処理とは別途に繰り返し実施されることを特徴とする浴槽湯の清浄化装置。
【発明の詳細な説明】
【０００１】
【産業上の利用分野】
本発明は浴槽湯の清浄化装置に係り、特にこの装置におけるれ殺菌装置に関するものである。
【０００２】
【従来技術】
浴槽内の湯を循環ポンプを利用して強制的に循環させ、循環路に配備された濾過装置で湯中の汚れを取り除いた後、活性石タンクで活性化するような浴槽湯の清浄化装置が従来より開発されていた。
【０００３】
さらに最近は、単に湯中の汚れを取り除いたり活性化するだけでなく、ヒータにより加熱し常に適温を保ち、２４時間いつでも好みの時間に入浴できるようにしている。
【０００４】
この場合は、湯を常に清浄にしておかなければならないのは勿論であるが、悪臭が発生したりするのをも防ぐため殺菌も必要になる。
【０００５】
湯の殺菌は、従来は化学薬品での塩素殺菌が多く行われていたが、最近は、小型の高圧放電型のオゾン発生装置いわゆるオゾナイザーが開発されたので、図６に示すようにオゾナイザーを用いて簡便に殺菌するようにした装置が殆どである。
【０００６】
この装置では、浴槽１内の湯２を循環ポンプ６の作用で先端にプレフイルター１０が取り付けられた吸湯管３から各種清浄化処理機器をまとめて収納した装置本体４に吸い上げて清浄化処理をし、清浄化処理の終わった湯は先端にジエツトノズル１１が取り付けられた噴湯管９から再び浴槽１内に噴出させるように構成している。
【０００７】
装置本体４には、活性炭、麦飯石、ゼオライト等の各種粒状濾材が充填される濾過タンク５、湯を強制循環するための循環ポンプ６、湯を適温に保持する保温用のヒータ７等が連結管で直列に連結しされて配備され、前記吸湯管３の一端が濾過タンク５の入湯口に、噴湯管９の一端が循環ポンプ７の吐出口にそれぞれ接続して浴槽１内の湯２に対する直列の清浄化循環路を形成している。
【０００８】
噴湯管９の先端に取り付けられたジエツトノズル１１には湯の流速を速めて形成した負圧を利用して吸気し湯中に空気を混入するためのエジエクタ部が設けられ、このエジエクタ部には吸気口に電磁弁１３を設けた吸気管１２が接続し、さらに吸気管１２には吸い込まれた空気をオゾン化するためのオゾナイザ８が取り付けられている。
【０００９】
前記装置では、浴槽１内の湯２は、循環ポンプ６の作動によりプレフイルター１０で大きな汚れを取り除かれつつ吸湯管３から吸い上げられて装置本体４に入り、先ず濾過タンク５で濾過され、続いてヒータ７で保温された後、噴湯管９の先端に取り付けられたジエツトノズルから浴槽１に再び噴出される。
【００１０】
この際、吸気管１２には、吸気口部に設けた電磁弁１３が開いていると空気が吸い込まれ、ジエツトノズル１１からは空気が混入したジエツト流が浴槽１内に噴出されいわゆる泡風呂となり、さらにオゾナイザ８が作動していると吸い込まれた空気がオゾン化され、浴槽１内の湯２がオゾン殺菌される。
【００１１】
【発明が解決しようとする課題】
しかしながら、前記したように清浄化管路内を循環する湯にオゾンを直接混入してオゾン殺菌する場合には、湯の循環速度に合わせて短い反応時間で完全に殺菌しなければならないのでどうしても過剰のオゾンを湯中に混入するようになる。
【００１２】
この結果、湯中には未反応のオゾンがかなり残ることになり、このように未反応のオゾンを含んだ湯が浴槽内に噴出されると浴槽内から多量のオゾンが浴室内に放出され、入浴者は特有のオゾン臭を嗅いで不快になるだけでなく、これを吸い込んだ場合の健康への害も心配される。
【００１３】
このように浴室内にオゾンが放出されて入浴者に害を与えるのを防ぐためには、、浴槽より上流の管路で湯中にオゾンを混入し、湯が浴槽に入る前に湯中から未反応オゾンを気液分離装置で分離し、分離されたオゾンを分解装置で分解し無害にしてから排気することが考えられる。
【００１４】
しかしながら、気液分離装置を設けると清浄化装置本体が複雑で高価になり、さらに湯中から分離されたオゾンは湿気を帯びているので容易には分解できず、分解を完全にするにはかなり大規模で高価な分解装置が必要となる。
【００１５】
本発明は、オゾンを清浄化の管路を循環する湯中に直接湯中に混入してオゾン殺菌した場合の前記したような従来技術の欠点を解消し、未反応オゾンによる害の心配が全くなく、しかも簡便な浴槽湯の殺菌浄化装置を持った清浄化装置を提供することを目的とする。
【００１６】
【課題を解決するための手段】
本発明は、浴槽内の湯を汲み上げて濾過装置で汚れを濾過し、殺菌装置で殺菌し、ヒータで適温に加熱した後再び浴槽に噴出させる浴槽湯の清浄化装置において、一端が浴槽内に位置する吸湯管、濾過タンク、ヒータ、循環ポンプ、及び一端が浴槽内に位置する噴湯管が直列に接続した主清浄化管路と、一端が浴槽内に位置する殺菌吸湯管、オゾナイザが接続するオゾン殺菌タンク、循環ポンプ、及び一端が浴槽内に位置する殺菌噴湯管が直列に接続した殺菌管路とが配備され、主清浄化管路において、主清浄化管路用の循環ポンプの作動により浴槽内の湯を吸湯管から汲み上げて濾過タンクで汚れを濾過し、ヒータで適温に加熱した後噴湯管から浴槽内に噴出させる連続的な主清浄化処理が実施され、殺菌管路において、殺菌管路用の循環ポンプを作動して浴槽内の湯を吸湯管から汲み上げてオゾン殺菌タンクに貯えた後一端停止し、オゾン殺菌タンクにおいてオゾナイザーによってオゾン化した空気を貯えられた湯中に混入してオゾン殺菌し、オゾン殺菌終了後再び循環ポンプを作動、停止してオゾン殺菌タンク内の殺菌処理された湯を殺菌噴湯管から浴槽内に噴出させると同時に浴槽内の湯を殺菌吸湯管から再び汲み上げてオゾン殺菌タンクに貯えた後オゾン殺菌するオゾン殺菌処理が主清浄化処理とは別途に繰り返し実施されることにより課題を解決した。
また、本発明は、浴槽内の湯を汲み上げて濾過装置で汚れを濾過し、殺菌装置で殺菌し、ヒータで適温に加熱した後再び浴槽に噴出させる浴槽湯の清浄化装置において、一端が浴槽内に位置する吸湯管、濾過タンク、ヒータ、循環ポンプ、及び一端が浴槽内に位置する噴湯管が直列に接続した主清浄化管路を備え、該主清浄化管路において、主清浄化管路用の循環ポンプの作動により浴槽内の湯を吸湯管から汲み上げて濾過タンクで汚れを濾過し、ヒータで適温に加熱した後噴湯管から浴槽内に噴出させる連続的な主清浄化処理が実施されると共に、一端が浴槽内に位置し、且つ電磁弁が配備された殺菌吸湯管、オゾナイザが接続するオゾン殺菌タンク、及び一端が主清浄化管路の噴湯管に配備したエジェクタ部に接続する殺菌噴湯管が直列に接続して形成された殺菌管路において、電磁弁を開いて浴槽内の湯を殺菌噴湯管の一端が接続するエジェクタ部の吸引力に基いて殺菌吸湯管から汲み上げてオゾン殺菌タンクに貯えた後一端閉じ、オゾン殺菌タンクにおいてオゾナイザーによってオゾン化した空気を貯えられた湯中に混入してオゾン殺菌し、オゾン殺菌終了後再び電磁弁を開閉してオゾン殺菌タンク内の殺菌処理された湯を殺菌噴湯管から主清浄化管路の噴湯管を経て浴槽内に噴出させて浴槽内の湯を殺菌吸湯管から再び汲み上げてオゾン殺菌タンクに貯えた後オゾン殺菌するオゾン殺菌処理が主清浄化処理とは別途に繰り返し実施されることにより課題を解決した。
【００１７】
【発明の作用】
本発明は前記したように構成され、殺菌管路が濾過を主体とする主清浄化管路からは独立しているので主清浄化管路の湯の処理速度に影響されないで、湯の汚れ具合に応じて必要な時間を掛けて殺菌できる。
【００１８】
このため殺菌方法としてオゾン殺菌方法を採用したとしても必要最小量のオゾンを利用し十分時間を掛けて殺菌できるので、未反応のオゾンを湯中に残さないで効果的に殺菌できるようになる。
【００１９】
また殺菌管路の殺菌噴湯管を主清浄化管路に接続すると、接続位置が循環ポンプの吸込み側管路の場合はそのまま循環ポンプの吸引力を利用し、接続位置が循環ポンプの吐出側管路の場合は管径を細くして湯の流速を速めるエジエクタ部の吸引力を利用して、殺菌管路には特別に循環ポンプを配備しなくても主清浄化管路の循環ポンプの作用で十分湯の循環ができる。
【００２０】
【実施例】
次に本発明の実施例について図面に基づいて説明する。
【００２１】
図１には本発明の第１の実施例が示され、濾過を主体とする主清浄化管路１４は前記従来例の清浄化管路から殺菌機能を取り除いた管路で、ジエツトノズル１１に接続する吸気管１２からオゾナイザー８が取り除かれた管路である。
【００２２】
１５が主清浄化管路１４から全く独立した殺菌管路であり、この殺菌管路１５は、浴槽１内の湯２を汲み上げる先端にプレフイルター２５が取り付けられ途中に殺菌循環ポンプ１７が配備された殺菌吸湯管１６と、殺菌用の湯を溜める殺菌タンク１８と、殺菌タンク１８に溜められて殺菌された湯を再び浴槽１に噴出させる殺菌噴湯管１９とから構成されている。
【００２３】
本実施例の殺菌タンク１８は、前記従来例と同様に、オゾナイザー８で生成されたオゾン化空気を用いてオゾン殺菌するオゾン殺菌タンクとして構成されいる。
【００２４】
したがって殺菌タンク１８の底部にはオゾン化空気をタンク内に均一に噴出するための散気板２０が配備され、この散気板２０には、先端部にエアーポンプ２２、続いてオゾナイザー８及び電磁弁２３を配備した送気管２１が接続し、さらにタンク上面には排気弁２４が取り付けられている。
【００２５】
したがって本実施例の装置においては、浴槽１内の湯２は、まず循環ポンプ６の作動により、吸湯管３からプレフイルター１０で大きな汚れを濾過しつつ汲み上げられ、濾過タンク５で濾過し、ヒータ７で適温に保温した後噴湯管９から再び浴槽１内に噴出される濾過を主体とする主清浄化管路１４を循環する。
【００２６】
この主清浄化管路１４の循環において噴湯管９の先端に負圧部に吸気管１２が接続するジエツトノズル１１が取り付けてあるので、電磁弁１３を開いて吸気管１２から吸気することによりジエツトノズル１１からは空気を含んだジエツト流が噴出し泡風呂が形成できる。
【００２７】
浴槽１内の湯２は、前記した循環ポンプ６の作動による主清浄化管路１４の循環とは別に、殺菌循環ポンプ１７の作動により殺菌吸湯管１６でプレフイルター２５で大きな汚れを取り除きつつ汲み上げられ殺菌管路１５を次のように循環して殺菌される。
【００２８】
すなわち殺菌循環ポンプ１７は、浴槽１内の湯２が殺菌タンク１８に所定水位まで溜められるだけの時間まず作動され、殺菌タンク１８内に所定水位まで湯が溜められたなら自動的に止まる。
【００２９】
殺菌タンク１８内に湯が所定水位まで溜められ殺菌循環ポンプ１７が止まったなら、代わって電磁弁２３が開くと同時にエアーポンプ２２及びオゾナイザー８を作動し、送気管２１からオゾン化空気を散気板２０から溜められた湯の中に噴出して殺菌する。
【００３０】
所定時間の殺菌が終わったなら電磁弁２３を閉じると同時にエアーポンプ２２並びにオゾナイザー８の作動を止め排気弁２４を開いて殺菌タンク１８内を所定時間排気をする。
【００３１】
殺菌タンク１８内の排気が終わったなら排気弁２４を閉じると同時に再び循環ポンプ１７を所定時間作動し、殺菌タンク１８内の殺菌された湯を殺菌噴湯管１９から浴槽１内に噴出し、同時に浴槽１から次の殺菌のための湯２を汲み上げる。
【００３２】
以上のような動作を繰り返しながら浴槽１内の湯２は殺菌管路１５を循環し、主清浄化管路１４での濾過を主体とする連続的な清浄化処理とは無関係にバツチ処理により殺菌処理される。
【００３３】
したがって殺菌処理のために利用するオゾン化空気の量や処理時間を予め実験で良く検討しておけば湯中に未反応オゾンを殆ど残さないで完全な殺菌が行えるので、浴槽内に噴出された湯や殺菌タンク内から排気された空気からオゾンが放出されることはないので、入浴中に殺菌処理が行われても入浴者に何ら害を与えない。
【００３４】
また混入するオゾン化空気量や処理時間は自由に調節できるので、湯の汚れ具合に応じて自動的或いは手動によりこれらの条件を調節すれば、絶えず必要にして十分な条件で湯の殺菌処理ができるようになる。
【００３５】
次に図２により第２の実施例を説明する。
【００３６】
この実施例の基本的な構成は第１実施例と同様であり、主清浄化管路１４の噴湯管９に管径を細くして湯の流速を速め負圧を形成するエジエクタ部２６を設け、このエジエクタ部２６に殺菌管路１５の殺菌噴湯管１９の先端を接続してある。
【００３７】
この実施例では殺菌管路１５への浴槽１内の湯２の循環はエジエクタ部２６の吸引力で行われるので、殺菌循環路１５には第１実施例の場合のように殺菌循環ポンプ１７を設ける必要がなく、代わって殺菌吸湯管１６には吸湯路を開閉するための電磁弁２７が設けられている。
【００３８】
さらに第１実施例では送気管２１からの殺菌タンク１８へのオゾン化空気の供給はエアーポンプ２２の加圧力を利用して行われていたが、本実施例ではエジエクタ部２６の吸引力が利用できるのでエアーポンプ２２を省略しても支障がない。
【００３９】
したがって本実施例では、主清浄化管路１４に湯が循環している際に電磁弁２７を所定時間開けば殺菌タンク１８に所定水位まで浴槽１内の湯２を溜め電磁弁２３を開いてオゾン化空気を混入して所定時間の殺菌ができる。
【００４０】
次に第３実施例について図３に基づいて説明する。
【００４１】
本実施例では主清浄化管路１４の噴湯管９に設けるエジエクタ部２６を先端に取り付けたジエツトノズル１１が兼ねており、したがって殺菌管路１５の殺菌噴湯管１９の先端がジエツトノズルのエジエクタ部に接続している。
【００４２】
したがって本実施例では、図４に示すように、殺菌吸湯管１６の電磁弁２７を閉じていて殺菌タンク１８には湯を溜めない状態とし、かつオゾナイザー８を作動させないで送気管２１の電磁弁２３を開いておけば、噴湯管９の先端のジエツトノズル１１からは空気が混入したジエツト流が噴出して泡風呂となる。
【００４３】
次に第４実施例について図５に基づいて説明する。
【００４４】
本実施例は、第２及び第３実施例が殺菌管路１５の殺菌噴湯管１６を主清浄化管路１４の循環ポンプ６の吐出側である噴湯管９に接続していたのに対して、吸込み側である吸湯管３に切換弁２８を介して接続している。
【００４５】
このため、殺菌管路１５への浴槽１内の湯２の循環は、主清浄化管路１４の循環ポンプ６の吸引力を利用して行えるので、第２及び第３実施例のように、殺菌管路１５の殺菌噴湯管１９を主清浄化管路１４にエジエクタ部を介して接続する必要がない。
【００４６】
したがって本実施例においては、主清浄化管路１４の吸湯管３の切換弁２８を所定時間だけ殺菌管路１５の殺菌吸湯管１９方向にも通じるように切り換えておけば、浴槽１内の湯２を主清浄化管路１４を循環させると同時に殺菌タンク１８に所定水位まで汲み上げて殺菌できるようになる。
【００４７】
以上の第２から第４の実施例に示すように、殺菌管路１５は、殺菌噴湯管１９を主清浄化管路１４の如何なる位置で接続しても特別に循環ポンプを設けなくても浴槽１内の湯２を殺菌タンク１８に所定量溜め殺菌できるようになる。
【００４８】
【発明の効果】
本発明は以上のような構成及び作用のものであり、濾過を主体とする主清浄化管路とは独立して殺菌タンクを設けた殺菌管路を設けられているので、殺菌は主清浄化管路での清浄化とは無関係にバツチ処理として行える。
【００４９】
この結果、未反応オゾンの放出が問題になるオゾン殺菌を行っても、必要最小限の量のオゾンで十分時間を掛けて殺菌でき、この結果湯中に未反応オゾンを殆ど残さないで完全な殺菌が行えるようになり、浴室内へのオゾンの放出を全く心配する必要がなくなるので、入浴中に殺菌処理が行われても入浴者に何ら害を与えない。
【００５０】
また装置の構成も、殺菌管路の殺菌噴湯管を主清浄化管路に接続することにより、殺菌管路に特別に循環ポンプを設ける必要のない極めて安価で簡便なものにできる。
【００５１】
この装置では、殺菌循環ポンプの作動時間又は管路に設けた弁の開閉時間を制御することにより殺菌処理の時間が容易に変えられるので、湯の汚れ具合に応じて手動又は自動でオゾン化空気の混入量と共に殺菌処理時間を制御し、前記したように未反応オゾンを残さない状態で完全な殺菌処理ができるようになる。
【図面の簡単な説明】
【図１】第１実施例、
【図２】第２実施例、
【図３】第３実施例（殺菌状態）、
【図４】第３実施例（泡風呂状態）、
【図５】第４実施例、
【図６】従来例。
【符号の説明】
１                                浴槽
２                                湯
３                                吸湯管
４                                装置本体
５                                濾過タンク
６                                循環ポンプ
７                                ヒータ
８                                オゾナイザー
９                                吸湯管
１１                                ジエツトノズル
１４                                主清浄化管路
１５                                殺菌管路
１６                                殺菌吸湯管
１７                                殺菌循環ポンプ
１８                                殺菌タンク
１９                                殺菌噴湯管
２０                                散気板
２１                送気管
２６                                エジエクタ部
２８                                切換弁
【図１】
0003574676.tif 000002
【図２】
0003574676.tif 000003
【図３】
0003574676.tif 000004
【図４】
0003574676.tif 000005
【図５】
0003574676.tif 000006
【図６】
0003574676.tif 000007